(57)【要約】本発明は、積み木玩具の技術分野に属し、第１ブロックを含む前・背両面で自由に組立可能な多次元の積み木玩具の構築キットであって、前記第１ブロックの正面に単一、単列、両列、又は複数列の第１連結短柱を有し、前記第１ブロックの反面に凹面を有し、前記凹面に複数列の突起した第２連結短柱を有し、前記凹面の側壁に複数のリブを有し、前記第２連結短柱は、列において、前記正面第１連結短柱と同じ列、及び隣接する両列を等分する中間に均一に分布し、行において、前記正面第１連結短柱と同じ列では各々の前記第２連結短柱と前記第１連結短柱とが交互に配列されるとともに、２つの前記第１連結短柱を等分する中間に位置するように分布する前・背両面で自由に組立可能な多次元の積み木玩具の構築キットを提供する。本発明は、積み木玩具の構築キットの精巧な構造設計により、２つのブロックの正面、背面による４種類の組み立て方式が実現され、異なるシリーズ、設計の玩具に容易に組み立てることができる。【選択図】図７
2020516385.tif 000002
【特許請求の範囲】
【請求項１】
第１ブロックを含む前・背両面で自由に組立可能な多次元の積み木玩具の構築キットであって、
前記第１ブロックの正面に単一、単列、両列、又は複数列の第１連結短柱（ｒ）を有し、前記第１ブロックの反面に凹面を有し、前記凹面に複数列の突起した第２連結短柱（ｔ）を有し、前記凹面の側壁に複数のリブを有し、前記第２連結短柱（ｔ）は、
列において、前記正面第１連結短柱（ｒ）と同じ列、及び隣接する両列を等分する中間に均一に分布し、
行において、前記正面第１連結短柱（ｒ）と同じ列では各々の前記第２連結短柱（ｔ）と前記第１連結短柱（ｒ）とが交互に配列されるとともに、２つの前記第１連結短柱（ｒ）を等分する中間に位置するように分布し、これによって、このような列には、前記第２連結短柱（ｔ）の数は、前記第１連結短柱（ｒ）の数よりも１つ少なく、
隣接する両列の前記第１連結短柱（ｒ）を等分する中間位置にある列において、各前記第２連結短柱（ｔ）は、それと同じ行における２つの前記第１連結短柱（ｒ）を等分する中間位置にあり、これによって、このような列には、前記第２連結短柱（ｔ）の数は、前記第１連結短柱（ｒ）の数と同じである、
ことを特徴とする前・背両面で自由に組立可能な多次元の積み木玩具の構築キット。
【請求項２】
第２ブロックをさらに含み、
前記第２ブロックの正面に単一、単列、両列、又は複数列の第３連結短柱（ｓ）を有し、前記第３連結短柱（ｓ）は、前記第２ブロックを貫通する円筒状であり、
前記第３連結短柱（ｓ）の数は、１、２、３又は任意の数字であることを特徴とする、請求項１に記載の前・背両面で自由に組立可能な多次元の積み木玩具の構築キット。
【請求項３】
前記第２ブロックの背面に凹面を有し、前記凹面に突起した第４連結短柱（ｕ）を有し、前記凹面の側壁に前記第４連結短柱（ｕ）に対向する複数のリブを有し、
前記第２ブロックの背面の第４連結短柱（ｕ）は、
列において、隣接する両列の正面第３連結短柱（ｓ）を等分する中間に位置し、
行において、各第４連結短柱（ｕ）が２つの前記第３連結短柱（ｓ）を等分する中間に位置するように分布し、
これによって、前記第４連結短柱（ｕ）の数は、前記第３連結短柱（ｓ）の数よりも１つ少ないことを特徴とする、請求項２に記載の前・背両面で自由に組立可能な多次元の積み木玩具の構築キット。
【請求項４】
前記第２連結短柱（ｔ）、前記第３連結短柱（ｓ）及び前記第４連結短柱（ｕ）の直径は同じであり、
前記第２連結短柱（ｔ）、前記第３連結短柱（ｓ）及び前記第４連結短柱（ｕ）の直径と、前記第２ブロックの幅との関係は、
連結短柱の直径ｄ（ｓ）＝Ｘ／２−ｇ＊２−ｈ＊２であり、
ここで、Ｘは前記第２ブロックの幅であり、ｇは前記第２ブロックの側壁の厚さであり、ｈは前記第２ブロックの側壁のリブの厚さであることを特徴とする、請求項３に記載の前・背両面で自由に組立可能な多次元の積み木玩具の構築キット。
【請求項５】
前記第２ブロックの幅は２０ｍｍであり、前記第２ブロックの側壁の厚さｇは１．２ｍｍであり、前記第２ブロックの側壁のリブの厚さｈは０．２５ｍｍであり、
前記第２連結短柱（ｔ）、前記第３連結短柱（ｓ）及び前記第４連結短柱（ｕ）の直径ｄ（ｓ）＝ｄ（ｔ）＝ｄ（ｕ）＝７．１ｍｍであることを特徴とする、請求項４に記載の前・背両面で自由に組立可能な多次元の積み木玩具の構築キット。
【請求項６】
前記第１ブロックの前記第１連結短柱（ｒ）の直径ｄ（ｒ）＝隣接する２つの前記第２連結短柱（ｔ）の間の距離ｆ−ｄ（ｔ）であり、
前記第１連結短柱（ｒ）は、前記第１ブロックを貫通する円筒状であることを特徴とする、請求項５に記載の前・背両面で自由に組立可能な多次元の積み木玩具の構築キット。
【請求項７】
前記第１連結短柱（ｒ）の直径ｄ（ｒ）＝隣接する２つの前記第２連結短柱（ｔ）の間の距離ｆ−ｄ（ｔ）＝２０−７．１＝１２．９ｍｍであることを特徴とする、請求項６に記載の前・背両面で自由に組立可能な多次元の積み木玩具の構築キット。
【請求項８】
前記第１連結短柱（ｒ）、前記第２連結短柱（ｔ）、前記第３連結短柱（ｓ）及び前記第４連結短柱（ｕ）の直径は、計算値よりも０．０１〜０．１０ｍｍ大きいことを特徴とする、請求項７に記載の前・背両面で自由に組立可能な多次元の積み木玩具の構築キット。
【請求項９】
柱先端部が前記円筒状の連結短柱に締まり嵌めされる部品をさらに含むことを特徴とする、請求項８に記載の前・背両面で自由に組立可能な多次元の積み木玩具の構築キット。
【請求項１０】
全ての前記ブロックの縁はいずれも丸コーナであり、
前記ブロックの連結柱と縁の丸コーナとは同じ円心を有し、
複数の単位ブロックは、統一でマッチングした曲面が形成されるように組み立てられることを特徴とする、請求項９に記載の前・背両面で自由に組立可能な多次元の積み木玩具の構築キット。
【発明の詳細な説明】
【技術分野】
【０００１】
本発明は、積み木玩具の構築キットに関し、特に自由に組立可能な多次元の積み木玩具の構築キットに関する。
【背景技術】
【０００２】
積み木玩具は、複数の積み木を一緒に組み立てることにより使用者の創意を実現する玩具である。多種多様な玩具に組み立てるために、通常、規格や設計が異なる複数のブロックが使用される。例えば、図１は、Ａブロックの正面であり、複数の突起した連結短柱ｈを有する。図２は、Ａブロックの背面であり、凹面を有し、凹面に１つ又は複数の突起した連結短柱ｉを有し、凹面の側壁に複数のリブを有する。図３は、Ｂブロックの正面であり、複数の突起した連結短柱ｊを有する。図４は、Ｂブロックの背面であり、この背面に凹面を有し、凹面に１つ又は複数の突起した連結短柱ｋを有する。
【０００３】
従来技術の積み木の組み立て方式は、以下の３つである。
Ａブロック自体の組み立て：Ａブロックの正面の連結短柱ｈ、背面の連結短柱ｉ、及び背面の側壁のリブで連結して摩擦力を形成することで組み立てる。
Ａブロックの正面とＢブロックの背面との組み立て：連結短柱ｋと連結短柱ｈとの連結により摩擦力を形成して組み立てを達成する。
Ａブロックの背面とＢブロックの正面との組み立て：Ｂブロックの連結短柱ｊをＡブロックの背面の側壁のリブに連結することで摩擦力を形成して組み立てる。この方式には、多くの制限があり、例えば、図５及び図６に示すように、Ｂブロックの正面とＡブロックの背面の連結柱のサイズがマッチしておらず、良好に連結することができない。
【０００４】
上記のように、従来の積み木玩具の構築キットは、３つの組み立て方式しか提供できず、Ａブロックの背面とＢブロックの背面との組み立ての方式を提供できない。また、Ａブロックの背面とＢブロックの正面との組み立てという方式には、多くの制限がある。これらの欠点により、積み木玩具の構築キットの組み立ての多次元及び自由度は非常に限られており、使用者の構想を自由に実現することができない。
【０００５】
本発明は、積み木の多次元の組み立ての自由度を保証するために、前・背両面で自由に組立可能な多次元の積み木玩具の構築キットを提供することを目的とする。
【発明の概要】
【０００６】
本発明によれば、第１ブロックを含む前・背両面で自由に組立可能な多次元の積み木玩具の構築キットであって、
前記第１ブロックの正面に単一、単列、両列、又は複数列の第１連結短柱（ｒ）を有し、前記第１ブロックの反面に凹面を有し、前記凹面に複数列の突起した第２連結短柱（ｔ）を有し、前記凹面の側壁に複数のリブを有し、前記第２連結短柱（ｔ）は、
列において、前記正面第１連結短柱（ｒ）と同じ列、及び隣接する両列を等分する中間に均一に分布し、
行において、前記正面第１連結短柱（ｒ）と同じ列では各々の前記第２連結短柱（ｔ）と前記第１連結短柱（ｒ）とが交互に配列されるとともに、２つの前記第１連結短柱（ｒ）を等分する中間に位置するように分布し、これによって、このような列には、前記第２連結短柱（ｔ）の数は、前記第１連結短柱（ｒ）の数よりも１つ少なく、
隣接する両列の前記第１連結短柱（ｒ）を等分する中間位置にある列において、各前記第２連結短柱（ｔ）は、それと同じ行における２つの前記第１連結短柱（ｒ）を等分する中間位置にあり、これによって、このような列には、前記第２連結短柱（ｔ）の数は、前記第１連結短柱（ｒ）の数と同じである、
前・背両面で自由に組立可能な多次元の積み木玩具の構築キットが提供される。
【０００７】
前記前・背両面で自由に組立可能な多次元の積み木玩具の構築キットは、第２ブロックをさらに含み、前記第２ブロックの正面に単一、単列、両列、又は複数列の第３連結短柱（ｓ）を有し、前記第３連結短柱（ｓ）は、前記第２ブロックを貫通する円筒状であり、前記第３連結短柱（ｓ）の数は、１、２、３又は任意の数字である。
【０００８】
前記前・背両面で自由に組立可能な多次元の積み木玩具の構築キットにおいて、前記第２ブロックの背面に凹面を有し、前記凹面に突起した第４連結短柱（ｕ）を有し、前記凹面の側壁に前記第４連結短柱（ｕ）に対向する複数のリブを有し、前記第２ブロックの背面の第４連結短柱（ｕ）は、列において、隣接する両列の正面第３連結短柱（ｓ）を等分する中間に位置し、行において、各第４連結短柱（ｕ）が２つの前記第３連結短柱（ｓ）を等分する中間に位置するように分布し、これによって、前記第４連結短柱（ｕ）の数は、前記第３連結短柱（ｓ）の数よりも１つ少ない。
【０００９】
前記前・背両面で自由に組立可能な多次元の積み木玩具の構築キットにおいて、前記第２連結短柱（ｔ）、前記第３連結短柱（ｓ）及び前記第４連結短柱（ｕ）の直径は同じであり、前記第２連結短柱（ｔ）、前記第３連結短柱（ｓ）及び前記第４連結短柱（ｕ）の直径と、前記第２ブロックの幅との関係は、連結短柱の直径ｄ（ｓ）＝Ｘ／２−ｇ＊２−ｈ＊２であり、ここで、Ｘは前記第２ブロックの幅であり、ｇは前記第２ブロックの側壁の厚さであり、ｈは前記第２ブロックの側壁のリブの厚さである。
【００１０】
前記前・背両面で自由に組立可能な多次元の積み木玩具の構築キットにおいて、前記第２ブロックの幅は２０ｍｍであり、前記第２ブロックの側壁の厚さｇは１．２ｍｍであり、前記第２ブロックの側壁のリブの厚さｈは０．２５ｍｍであり、前記第２連結短柱（ｔ）、前記第３連結短柱（ｓ）及び前記第４連結短柱（ｕ）の直径ｄ（ｓ）＝ｄ（ｔ）＝ｄ（ｕ）＝７．１ｍｍである。
【００１１】
前記前・背両面で自由に組立可能な多次元の積み木玩具の構築キットにおいて、前記第１ブロックの前記第１連結短柱（ｒ）の直径ｄ（ｒ）＝隣接する２つの前記第２連結短柱（ｔ）の間の距離ｆ−ｄ（ｔ）であり、前記第１連結短柱（ｒ）は、前記第１ブロックを貫通する円筒状である。
【００１２】
前記前・背両面で自由に組立可能な多次元の積み木玩具の構築キットにおいて、前記第１連結短柱（ｒ）の直径ｄ（ｒ）＝隣接する２つの前記第２連結短柱（ｔ）の間の距離ｆ−ｄ（ｔ）＝２０−７．１＝１２．９ｍｍである。
【００１３】
前記前・背両面で自由に組立可能な多次元の積み木玩具の構築キットにおいて、前記第１連結短柱（ｒ）、前記第２連結短柱（ｔ）、前記第３連結短柱（ｓ）及び前記第４連結短柱（ｕ）の直径は、計算値よりも０．０１〜０．１０ｍｍ大きくされることにより、連結の摩擦力が保持される。
【００１４】
前記前・背両面で自由に組立可能な多次元の積み木玩具の構築キットは、柱先端部が前記円筒状の連結短柱に締まり嵌めされる部品をさらに含む。
【００１５】
前記前・背両面で自由に組立可能な多次元の積み木玩具の構築キットにおいて、全ての前記ブロックの縁はいずれも丸コーナであり、前記ブロックの連結柱と縁の丸コーナとは同じ円心を有し、複数の単位ブロックは、統一でマッチングした曲面が形成されるように組み立てられる。
【発明の効果】
【００１６】
従来技術と比べて、本発明は、以下の利点及び効果を有する。
本発明によれば、Ｃブロック自体の組み立て及び従来積み木の自由な組み立てに加えて、以下の種々の組み立て方式においてより自由な組み立て性能及び組み立て手触りが提供される。
【００１７】
一、Ｃブロックの正面とＤブロックの背面での連結
連結短柱ｒと連結短柱ｕ及びＤブロックの側壁との連結により摩擦力が発生する。側壁の変形力が比較的小さいため、このような方式は、従来技術と比べて、連結による摩擦力及び体験の手触りをより良好に制御することができる。
【００１８】
二、Ｃブロックの背面とＤブロックの正面での連結
Ｃブロックの側壁及び連結短柱ｔの両方とＤブロックの正面の連結短柱ｓとの連結により摩擦力が発生する。本発明の設計によって、任意位置での連結を実現できる。
【００１９】
三、Ｃブロックの背面とＤブロックの背面での連結
本発明では、ｓ、ｔ、ｕ連結短柱の直径が一致するため、Ｃブロックの背面とＤブロックの背面とは、任意に連結して組み立てることができる。
【００２０】
四、Ｃブロックの正面とＤブロックの正面での連結
本発明では、Ｄブロックの正面及び背面連結短柱ｓ、ｕの直径が一致するため、Ｄブロックは、背面でＣブロックの正面と連結する以外、その正面もＣブロックの正面と任意に連結して組み立てることができる。特に、Ｃブロックが非常に大きな平板部品（例えば、５０ＣＭ＊５０ＣＭ）である場合には、この特徴はより顕著となる（図１７、図１８）。
【００２１】
五、Ｃブロックの背面とＬブロックの正面での連結
Ｌブロックは、Ｃブロックの一つ実施例であり、その正面に１つのみの連結短柱があり、且つ連結短柱の直径がｒと一致する。これによって、このＬブロックは、Ｃブロックの背面の任意位置と連結することができるため、非常に多くの変化及び設計空間が提供される（図１９）。
【００２２】
六、Ｃ／Ｄブロックの正面の連結短柱は、８本に限られず、図面に示されているのが例示的なものに過ぎず、１、２、３．．．５．．．１０．．．２０．．．５０．．．又はそれ以上の連結短柱であってもよい。これによって、想像を絶する組み立ての楽しみを提供することができる。ブロックの縁の丸コーナ設計、ブロックの連結柱と縁のＵ型丸コーナとは同じ円心を有する設計により、複数の単位ブロックは、統一でマッチングした曲面Ｕが形成されるように組み立てられることによって、手触りがより良好で、組み立てられた外観がより統一し、より自由、安全となり、手触りがより良くなり、異なるシリーズ、設計の玩具に容易に組み立てることができ、使用者の構想が達成されやすい。
【図面の簡単な説明】
【００２３】
以下、図面及び実施形態により本発明を詳しく説明する。
【図１】従来の積み木玩具の構築キットのＡブロックの正面模式図である。
【図２】従来の積み木玩具の構築キットのＡブロックの背面模式図である。
【図３】従来の積み木玩具の構築キットのＢブロックの正面模式図である。
【図４】従来の積み木玩具の構築キットのＢブロックの背面模式図である。
【図５】従来の積み木玩具の構築キットのＡブロックの背面とＢブロックの正面の組み立て方式の模式図である。
【図６】従来の積み木玩具の構築キットのＡブロックの背面とＢブロックの正面の組み立て方式の模式図である。
【図７】本発明に係るＣブロック（第１ブロック）の正面模式図である。
【図８】本発明に係るＣブロックの背面模式図である。
【図９】本発明に係るＤブロック（第２ブロック）の正面模式図である。
【図１０】本発明に係るＤブロックの背面模式図である。
【図１１】本発明に係るＣブロックの背面とＤブロックの正面の連結の模式図である。
【図１２】本発明の図１１の連結関係の連結原理図である。
【図１３】ランダムに位置を変えた後のＣブロック背面とＤブロック正面の連結の模式図である。
【図１４】図１３の連結関係の連結原理図である。
【図１５】本発明に係るＣブロックの背面とＤブロックの背面の連結の模式図である。
【図１６】図１５の連結関係の連結原理図である。
【図１７】本発明に係るＣブロックの正面とＤブロックの正面の連結の模式図である。
【図１８】図１７の連結関係の連結原理図である。
【図１９】ＣブロックとＬブロックの連結の模式図である。
【図２０】Ｋブロックの模式図であり、Ｋブロックが柱先端部ｖを介してＣブロックの貫通孔に挿接できることを示す。
【図２１】複数の単位ブロックＣ、Ｌ及びＪは、統一でマッチングした曲面Ｕが形成されるように組み立てられ得ることを示す。
【発明を実施するための形態】
【００２４】
本発明によれば、積み木組み立ての自由度を向上できる前・背両面で自由に組立可能な多次元の積み木玩具の構築キットが提供される。
【００２５】
本発明の技術手段、創作特徴、目的及び効果を分かりやすくするために、以下、図面を参照しながら本発明をさらに説明する。
【００２６】
図７は、本発明に係るＣブロック（第１ブロック）の正面の模式図である。Ｃブロックの正面には複数列の連結短柱ｒがある。連結短柱ｒは、Ｃブロックを貫通する円筒状である。
【００２７】
図８は、本発明に係るＣブロックの背面の模式図である。Ｃブロックの背面には凹面を有する。凹面には複数列の突起した連結短柱ｔがあり、凹面の側壁に複数のリブがある。Ｃブロック背面連結短柱ｔは、列において正面連結短柱ｒと同じ列、及び隣接する両列の正面連結短柱ｒを等分する中間に均一に分布し、行において正面連結短柱ｒと同じ列では各々の連結短柱ｔと各々の連結短柱ｒとが交互に配列されるとともに、２つの連結短柱ｒを等分する中間に位置するように分布する。これによって、このような列には、連結短柱ｔの数は、連結短柱ｒの数よりも１つ少ない。隣接する両列の連結短柱ｒを等分する中間位置にある列において、各連結短柱ｔは、それと同じ行における２つの連結短柱ｒを等分する中間位置にある。これによって、このような列には、連結短柱ｔの数は、連結短柱ｒの数と同じである。
【００２８】
図９は、Ｄブロック（第２ブロック）の正面の模式図である。Ｄブロックの正面には複数列の連結短柱ｓがある。連結短柱ｓは、Ｄブロックを貫通する円筒状である。連結短柱ｓの数は、Ｃブロックの連結短柱ｒの数と同じである。
【００２９】
図１０は、本発明に係るＤブロックの背面の模式図である。Ｄブロックの背面には凹面がある。凹面には１列の突起した連結短柱ｕがあり、凹面の４つの側壁に連結短柱ｕに対向する複数のリブがある。Ｄブロックの背面の連結短柱ｕは、列において隣接する両列の正面連結短柱ｓを等分する中間に位置し、行において各連結短柱ｕが２つの連結短柱ｓを等分する中間に位置するように分布する。これによって、各列には、連結短柱ｕの数は、連結短柱ｓの数よりも１つ少ない。
【００３０】
本発明では、Ｃブロック及びＤブロックの上記連結短柱ｒ、ｓ、ｔ、ｕは、連結短柱ｓ、ｔ、ｕの直径が同じである関係を有する。
【００３１】
連結短柱ｓ、ｔ、ｕの直径とＤブロックの幅とは、
連結短柱ｓの直径ｄ（ｓ）＝Ｘ／２−ｇ＊２−ｈ＊２
である関係を有する。
式中、ＸはＤブロックの幅であり、ｇはＤブロックの側壁の厚さであり、ｈは側壁のリブの厚さである。
例えば、Ｄブロックの幅Ｘは２０ｍｍであり、Ｄブロックの側壁の厚さｇは１．２ｍｍであり、側壁のリブの厚さｈは０．２５ｍｍである場合、ｄ（ｓ）＝ｄ（ｔ）＝ｄ（ｕ）＝Ｘ／２−ｇ＊２−ｈ＊２＝２０／２−１．２＊２−０．２５＊２＝７．１ｍｍとなる。
【００３２】
他の寸法に関する実施例を省略する。
【００３３】
Ｃブロック上における連結短柱ｒの直径は、その背面連結短柱ｔの直径から下記式により算出される。
Ｃブロック上における連結短柱ｒの直径ｄ（ｒ）＝２つの連結短柱ｔの間の距離ｆ−ｄ（ｔ）。
具体例として、
ｄ（ｒ）＝２つの連結短柱ｔの間の距離ｆ−ｄ（ｔ）＝Ｘ−ｄ（ｔ）＝１２．９ｍｍである。
【００３４】
実際に設計する際に、摩擦力の発生を考慮すると、実際のｄ（ｒ）、ｄ（ｓ，ｔ，ｕ）の直径を１２．９及び７．１ｍｍよりもやや大きく（例えば、０．０１〜０．１０ｍｍ大きく）設計する必要がある。
【００３５】
このような設計により、本発明に多次元で自由に組み立て可能な特性を付与する。図１１は、Ｃブロックの背面とＤブロックの正面との連結の模式図である。図１２は、図１１の連結関係の連結原理図である。図１１、１２から分かるように、Ｃブロック及びＤブロックの連結短柱ｒ、ｓ、ｔ、ｕの上記設計によって、連結は成功している。
【００３６】
図１３は、ランダムに位置を変えた後のＣブロックの背面とＤブロックの正面との連結の模式図である。図１４は、図１３の連結関係の連結原理図である。Ｄブロックのどの位置でＣブロックのどの位置と連結しても、Ｃブロック及びＤブロックの連結短柱ｒ、ｓ、ｔ、ｕの上記設計によって、連結は非常に自由で成功している。
【００３７】
図１５は、本発明に係るＣブロックの背面とＤブロックの背面との連結の模式図である。図１６は、図１５の連結関係の連結原理図である。Ｃブロック及びＤブロックの連結短柱ｒ、ｓ、ｔ、ｕの上記設計によって、連結は非常に自由で成功している。
【００３８】
図１７は、本発明に係るＣブロックの正面とＤブロックの正面との連結の模式図である。図１８は、図１７の連結関係の連結原理図である。Ｃブロック及びＤブロックの連結短柱ｒ、ｓ、ｔ、ｕの上記設計によって、連結は非常に自由で成功している。
【００３９】
図１９は、本発明に係るＣブロックの背面とＬブロックの正面との連結の模式図である。Ｃブロックの前・背両面の連結短柱ｒ、ｔの上記設計によって、連結は非常に自由で成功している。
【００４０】
以上より、本発明に係る前・背両面で自由に組立可能な多次元の積み木玩具の構築キットを使用することにより、Ｃブロック自体の組み立て及び従来積み木の自由な組み立てに加えて、以下の種々の組み立て方式においてより自由な組み立て性能及び組み立て手触りを提供する。
【００４１】
一、Ｃブロックの正面とＤブロックの背面での連結
連結短柱ｒと連結短柱ｕ及びＤブロックの側壁との連結により摩擦力が発生する。側壁の変形力が比較的小さいため、このような方式は、従来技術と比べて、連結による摩擦力及び体験の手触りをより良好に制御することができる。
【００４２】
二、Ｃブロックの背面とＤブロックの正面での連結
Ｃブロックの側壁及び連結短柱ｔの両方とＤブロックの正面の連結短柱ｓとの連結により摩擦力が発生する。本発明の設計によって、任意位置での連結を実現できる。
【００４３】
三、Ｃブロックの背面とＤブロックの背面での連結
本発明では、ｓ、ｔ、ｕ連結短柱の直径が一致するため、Ｃブロックの背面とＤブロックの背面とは、任意に連結して組み立てることができる。
【００４４】
四、Ｃブロックの正面とＤブロックの正面での連結
本発明では、Ｄブロックの正面及び背面連結短柱ｓ、ｕの直径が一致するため、Ｄブロックは、背面でＣブロックの正面と連結する以外、その正面もＣブロックの正面と任意に連結して組み立てることができる。特に、Ｃブロックが非常に大きな平板部品（例えば、５０ＣＭ＊５０ＣＭ）である場合には、この特徴はより顕著となる（図１７、図１８）。
【００４５】
五、Ｃブロックの背面とＬブロックの正面での連結
Ｌブロックは、Ｃブロックの一実施例であり、その正面に１つのみの連結短柱があり、且つ連結短柱の直径がｒと一致する。これによって、このＬブロックは、Ｃブロックの背面の任意位置と連結することができるため、非常に多くの変化及び設計空間が提供される（図１９）。
【００４６】
六、Ｃ／Ｄブロックの正面の連結短柱は、８本に限られず、図面に示されているのが例示的なものに過ぎず、１、２、３．．．５．．．１０．．．２０．．．５０．．．又はそれ以上の連結短柱であってもよい。これによって、想像を絶する組み立ての楽しみを提供することができる。
【００４７】
さらに、本発明によれば、ブロックが自由で安定に組み立てられるために、特殊な構造部品が提供される。図２０は、Ｋブロックの模式図であり、Ｋブロックが柱先端部ｖによりＣブロックの貫通孔に挿接できることを示す。
【００４８】
Ｋブロックの柱先端部ｖは、連結短柱ｒの内孔に締まり嵌めされ、例えば、十字形柱先端部ｖの直径ｄ（Ｌ）＝１０．８ｍｍ、挿接される短柱ｒの内孔の直径ｄ（Ｅ）＝１０．７ｍｍであるように設計され、締まり嵌めにより摩擦力を提供する。
【００４９】
図２１に示すように、良好な組み立ての手触り及び高安全性のために、本発明の積み木ブロックには、以下のような設計をさらに加えている。
全てのブロックの縁はいずれも丸コーナであり、ブロックの連結柱と縁のＵ型丸コーナとは同じ円心を有するため、複数の単位ブロックＣ、Ｊ及びＬは、統一でマッチングした曲面Ｕが形成されるように組み立てられることによって、手触りがより良好で、組み立てられた外観がより統一する。
【００５０】
上記より、本発明は、積み木玩具の構築キットの精巧な構造設計により、Ｃブロックの正面とＤブロックの背面、Ｃブロックの背面とＤブロックの正面、Ｃブロックの背面とＤブロックの背面、Ｃブロックの正面とＤブロックの正面、及びＣブロックの背面とＬブロックの正面、５種類の組み立て方式が実現され、いかなる部品、ブロックと組み立てはより自由、安全となり、手触りがより良くなり、異なるシリーズ、設計の玩具に容易に組み立てることができ、外観が統一し、手触りが良好で、使用者の構想が達成されやすく、経済的価値が計り知れない。
【図１】
2020516385.tif 000003
【図２】
2020516385.tif 000004
【図３】
2020516385.tif 000005
【図４】
2020516385.tif 000006
【図５】
2020516385.tif 000007
【図６】
2020516385.tif 000008
【図７】
2020516385.tif 000009
【図８】
2020516385.tif 000010
【図９】
2020516385.tif 000011
【図１０】
2020516385.tif 000012
【図１１】
2020516385.tif 000013
【図１２】
2020516385.tif 000014
【図１３】
2020516385.tif 000015
【図１４】
2020516385.tif 000016
【図１５】
2020516385.tif 000017
【図１６】
2020516385.tif 000018
【図１７】
2020516385.tif 000019
【図１８】
2020516385.tif 000020
【図１９】
2020516385.tif 000021
【図２０】
2020516385.tif 000022
【図２１】
2020516385.tif 000023
【国際調査報告】
2020516385.tif 000024
2020516385.tif 000025
2020516385.tif 000026
2020516385.tif 000027